(57)【要約】【課題】省スペース化を図ることができ、また、検眼装置の使い勝手が良好になる検眼用補助ミラーボックス及びこれを備える検眼装置を提供すること。【解決手段】筐体内に配置された凹面鏡を介して検査視標を呈示窓より呈示する省スペース型の視標呈示ユニットと共に使用するために、被検者の前に配置される検眼テーブル上に載置して使用する検眼用補助ミラーボックスであって、前記呈示窓が被検者の横方向に位置するように設置された前記視標呈示ユニットからの視標光束を反射する第１ミラーと、該第１ミラーにより左右が反転された視標光束を更に左右反転して被検者の眼に導く第２ミラーと、を備える。【選択図】      図２
2004298315.tif 000002
【特許請求の範囲】
【請求項１】
筐体内に配置された凹面鏡を介して検査視標を呈示窓より呈示する省スペース型の視標呈示ユニットと共に使用するために、被検者の前に配置される検眼テーブル上に載置して使用する検眼用補助ミラーボックスであって、前記呈示窓が被検者の横方向に位置するように設置された前記視標呈示ユニットからの視標光束を反射する第１ミラーと、該第１ミラーにより左右が反転された視標光束を更に左右反転して被検者の眼に導く第２ミラーと、を備える検眼用補助ミラーボックス。
【請求項２】
請求項１の検眼用補助ミラーボックスにおいて、前記視標呈示ユニットの呈示窓の前方に位置する検者がその呈示窓より検査視標を確認するための光路が形成されていることを特徴とする検眼用補助ミラーボックス。
【請求項３】
請求項１の検眼用補助ミラーボックスにおいて、前記第１及び第２ミラーが内部に取り付けられた筐体を持ち、該筐体にはトライアルレンズ等を収納する収納部が設けられていることを特徴とする検眼用補助ミラーボックス。
【請求項４】
請求項１のミラーボックスは、さらに近用視標を持つ近用視標呈示機構が設けられていることを特徴とする検眼用補助ミラーボックス。
【請求項５】
被検者の前に配置される検眼テーブルと、筐体内に配置された凹面鏡を介して検査視標を呈示窓より呈示する省スペース型の視標呈示ユニットを備える検眼装置において、請求項１〜４の何れかの検眼用補助ミラーボックスを備えることを特徴とする検眼装置。
【発明の詳細な説明】
【０００１】
【発明の属する技術分野】
本発明は、省スペース型の視標呈示ユニットと共に使用する検眼用補助ミラーボックス及びこれを備える検眼装置に関する。
【０００２】
【従来技術】
被検眼の遠用視力の検査時には５ｍ等の検査距離に検査視標を呈示するが、近年は、凹面鏡を利用して光学的に検査距離を確保した省スペース型の視標呈示装置（ユニット）が使用されている。この種の視標呈示装置を備える検眼装置においては、被検者の前方に視標呈示装置を設置して使用していた（例えば、特許文献１参照）。
【０００３】
図７は従来の検眼装置の構成例を示す図である。検眼装置１００は、検眼テーブル１０１、検眼窓に屈折力検査に必要な光学素子を切換配置する自覚式屈折力検査ユニット１０４、筐体内部に凹面鏡を有する省スペース型の視標呈示ユニット１０５、コントローラ１０６を備える。視標呈示ユニット１０５は被検者Ｍ１の位置から１ｍ程離されて被検者Ｍ１の正面に設置されている。検者Ｍ２は、被検者Ｍ１と視標呈示ユニット１０５との間の光路を遮らないように、被検者Ｍ１の横方向に位置して検査する。また、検眼テーブル１０１にはテストレンズ等を収納する引出し部１０２が設けられている。
【０００４】
【特許文献１】
特開２００２−２０００４１号公報
【０００５】
【発明が解決しようとする課題】
しかしながら、従来の検眼装置においては、装置全体でまだ多くのスペースを必要としていた。図７の構成を持つ検眼装置１００を壁際に設置する場合、視標呈示装置１０５の周辺にデッドスペース１１０が生じているため、眼鏡店舗における限られた検査室のスペースを有効に使うことができない問題があった。
また、検者Ｍ２は視標テーブル１０１及び視標呈示ユニット１０５の横に位置しているため、実際の呈示視標を確認する時には、顔を視標呈示装置１０５の前方に位置させ、不自然な体勢で覗き込むことになる問題や、被検者Ｍ１の視線を遮ってしまう問題がある。
【０００６】
本発明は、上記従来技術の問題点に鑑み、より省スペース化を図ることができ、また、検眼装置の使い勝手が良好になる検眼用補助ミラーボックス及びこれを備える検眼装置を提供することを技術課題とする。
【０００７】
【課題を解決するための手段】
上記課題を解決するために、本発明は以下のような構成を備えることを特徴とする。
【０００８】
（１）  筐体内に配置された凹面鏡を介して検査視標を呈示窓より呈示する省スペース型の視標呈示ユニットと共に使用するために、被検者の前に配置される検眼テーブル上に載置して使用する検眼用補助ミラーボックスであって、前記呈示窓が被検者の横方向に位置するように設置された前記視標呈示ユニットからの視標光束を反射する第１ミラーと、該第１ミラーにより左右が反転された視標光束を更に左右反転して被検者の眼に導く第２ミラーと、を備える。
（２）  （１）の検眼用補助ミラーボックスにおいて、前記視標呈示ユニットの呈示窓の前方に位置する検者がその呈示窓より検査視標を確認するための光路が形成されていることを特徴とする。
（３）  （１）の検眼用補助ミラーボックスにおいて、前記第１及び第２ミラーが内部に取り付けられた筐体を持ち、該筐体にはトライアルレンズ等を収納する収納部が設けられていることを特徴とする。
（４）  （１）のミラーボックスは、さらに近用視標を持つ近用視標呈示機構が設けられていることを特徴とする検眼用補助ミラーボックス。
（５）  被検者の前に配置される検眼テーブルと、筐体内に配置された凹面鏡を介して検査視標を呈示窓より呈示する省スペース型の視標呈示ユニットを備える検眼装置において、（１）〜（４）の何れかの検眼用補助ミラーボックスを備えることを特徴とする。
【０００９】
【発明の実施の形態】
以下に本発明の実施の形態を図面に基づいて説明する。図１は本発明に係る検眼装置全体の外観斜視図である。図２は検眼装置を上から見た図であり、一部断面図として描かれている。
【００１０】
検眼装置１は、検眼テーブル２、種々の光学素子を検眼窓４１に切換配置可能な自覚式屈折力検査ユニット４０、内部に凹面鏡を有する省スペース型の視標呈示ユニット１０、内部に反射光学系を有するミラーボックス３０、屈折力検査ユニット４０や視標呈示ユニット１０に操作信号を送るコントローラ５０を備える。検眼テーブル２が持つテーブル２ａにはアーム４３を備える支柱４２が立設されており、アーム４３に屈折力検査ユニット４０が吊下げられている。アーム４３は支柱４２との結合部に設けられた回転部４４の軸を中心に上下動が可能となっており、アーム４３の上下動により屈折力検査ユニット４０も被検者の眼前から上方へ退避可能である。
【００１１】
テーブル２ａの上にはミラーボックス３０が屈折力検査ユニット４０の正面に位置するように載置されている。また、テーブル２ａの上には視標呈示ユニット１０がミラーボックス３０の横に位置するように載置されている。視標呈示ユニット１０の正面上部には、反射防止膜の施されたガラス板からなる呈示窓１１が設けられており、検査視標はこの呈示窓１１を介して、画面中央部に呈示される。呈示窓１１は被検者Ｍ１の横方向に位置する。なお、本実施形態における視標呈示ユニット１０は、従来と同じく被検者Ｍ１の正面に設置して使用可能なものとしている。
【００１２】
図３、４は視標呈示ユニット１０の筐体１０ａ内に配置される光学系を説明する図であり、図３は視標呈示ユニット１０を正面から見た時の光学系の配置図、図４は視標呈示ユニット１０を右側方から見た時の光学系の配置図である。図３及び図４において、１３はガラス板からなる円盤状の視標ディスク板であり、その同一円周上には複数の視力値視標を含む多数の検査視標がクロム蒸着等により形成されている。視標ディスク板１３は視標ディスク板モータ１３ａにより回転され、被検者に呈示する視標を切り替え配置する。１４は呈示視標の一部をマスクするためのマスク板であり、マスク板モータ１４ａにより回転され、視標に所期する必要なマスクをかける。
【００１３】
１５は検査視標を照明する照明用ランプ、１６はコンデンサレンズ、１７は半透明の拡散板である。１８はミラー、１９はビームスプリッタ、２０は凹面鏡である。凹面鏡２０は、呈示窓１１から被検眼までの距離が１．１ｍとしたときに、呈示視標と被検眼の光学距離を５ｍの検査距離とするようにその焦点距離が設計されている。
【００１４】
照明ランプ１５の照明光はコンデンサレンズ１６、拡散板１７を経て検査視標を照明する。照明された検査視標の光束は、ミラー１８によって上方に反射され、ビームスプリッタ１９を透過した後、凹面鏡２０で反射される。凹面鏡２０で反射された視標光束はさらにビームスプリッタ１９で反射され、呈示窓１１から外部に取り出される。ビームスプリッタ１９には回転軸２１が取付けられており、モータ２２により回転軸２１が回転するとビームスプリッタ１９の傾斜角度が変えられる。これによりビームスプリッタ１９で反射する視標光束の光路の高さが変えられ、被検者の高さ位置に合わせて視標光束を導くことができる。
【００１５】
次に、ミラーボックス３０の構成を図１、図２及び図５を使用して説明する。図５は、検眼装置を被検者の正面方向から見た図である。ミラーボックス３０の筐体内の上部にミラー室３０ａが、下部に収納室３０ｂが設けられている。図２において、ミラー室３０ａには視標呈示ユニット１０からの視標光束を被検者Ｍ１の眼に導くための反射光学系としての第１ミラー３１と第２ミラー３２とが配置されている。第１ミラー３１は視標呈示ユニット１０の呈示窓１１の前方に位置し、第２ミラーは被検者Ｍ１（屈折力検査ユニット４０）の前方に位置する。第１ミラー３１は呈示窓１１からの視標光束を第２ミラー３２に導く角度にてミラー室３０ａの側壁内部に取り付けられている。第２ミラー３２は第１ミラー３１によって反射された視標光束を被検者Ｍ１の眼へ導く角度にてミラー室３０ａの側壁内部に取り付けられている。また、ミラー室３０ａにおける視標呈示ユニット１０側の側壁及び屈折力検査ユニット４０側の側壁には、視標光束を通過させるための窓３４、３５が設けられている。
【００１６】
ここで、反射光学系のミラーを１枚とした場合には、視標呈示ユニット１０からの視標光束の左右が反転してしまうが、ミラーを２枚用いたことにより左右反転の無い視標を呈示できる。すなわち、視標呈示ユニット１０の呈示窓１１から出射した視標光束は第１ミラー３１で反射される際に呈示視標の左右が反転するが、第２ミラー３２で再び反射されることでその反転が元に戻される。また、２枚のミラー３１，３２により折り返される被検眼までの光路の長さは、呈示窓１１から被検眼までの距離が１．１ｍとなるように設定されている。この反射光学系の配置により、従来、被検者Ｍ１の正面に設置していた視標呈示ユニット１０を、改造することなく、そのまま使用可能となる。
【００１７】
また、ミラー室３０ａの検者Ｍ２側（検者Ｍ２は視標呈示ユニット１０の前方に位置する）の側壁には覗き窓３６が設けられており、この覗き窓３６と視標呈示ユニット１０の呈示窓１１との間には呈示視標を確認するための光路Ｌ０が形成されている。このため被検者Ｍ１の側方に位置する検者Ｍ２は、体勢を入換えたり、無理な姿勢をとることなく、覗き窓３６を通して前方に位置する呈示窓１１から呈示される検査視標を見ることが可能になる。
【００１８】
また、図５に示すように、ミラーボックス３０の下部にはコントローラ５０やテストレンズＴｒや仮枠等を収納する収納室３０ｂが、ミラー室３０ａと一体化して設けられている。収納室３０ｂは、ミラー室３０ａと検眼テーブル１との間を収納スペースとして活用したものである。収納室３０ｂにはテストレンズＴｒ等を収納するための２つの引出し部３７とコントローラ５０を載せるスライド板３８とが設けられている。引出し部３７及びスライド板３８は、それぞれスライド機構により検者Ｍ２側にスライド可能である。コントローラ５０を使用するときは、検者Ｍ２はスライド板３８を手前に引き出すことにより、コントローラ５０を収納室３０ｂから外部に取り出した状態で操作できるようになる。スライド板３８は、テーブル１ａ外に移動できるようにスライド機構によりミラーボックス３０の筐体に保持されているので、操作性を落とすこと無く、検者Ｍ２側のテーブル１ａのサイズを小さくして、省スペース化を図ることができる。
【００１９】
検眼装置１は上記のような構成となっており、検眼装置１を壁際に設置する場合においても、図７に示したようなデッドスペース１１０が無くなり、検眼装置１全体の占有スペースは検眼テーブル２の設置スペースで済む。このため、眼鏡店舗等における検査室のスペースを有効に使用することができる。また、ミラーボックス３０にテストレンズＴｒ等の収納部を設けていることにより、検眼テーブル１には引出しを備える必要が無くなる。このため、テーブル１ａの下の厚みを少なくでき、座高の低い被検者を検査する上で都合が良くなる。
また、ミラーボックス３０は視標呈示装置１０とともに検眼テーブル１に対して簡単に分離させることができるので、検査条件に合わせて設置や移動を行えばよい。
【００２０】
図６はミラーボックス３０に近用視標呈示機構を設けた構成例を説明する図である。なお、図６は検眼装置１を検者側から見た図であり、ミラーボックス３０のミラー室３０ａについては内部構造を図示している。同図において、ミラー室３０ａの内部には被検者の視軸方向に延びる近用棒６０が取り付けられている。近用視標６１は、この近用棒６０の軸方向に沿って移動可能に保持部材６２により保持されている。また、近用視標６１は保持部材６２に設けられた回転部６３によって上方向に倒すことが可能であり、遠用検査のときには視標呈示ユニット１０からの視標光束を妨げないように退避させることができる。
【００２１】
近用検査時には、ミラー室３０ａの内部に設けられた照明ランプ６５を点燈して、近用視標６１の視標面を照明する。視標呈示ユニット１０側の側壁内面には視標確認用のミラー６４が設けられており、検者は覗き窓３６を介してミラー６４により反射される近用視標６１の視標内容を確認することが可能となっている。近用視標６１の近用棒６０上での移動及び近用視標６１の上方向への移動については、電動駆動で行うように構成されている。これらの移動を手動で行う場合は、ミラー室３０ａにおける検者側の側壁を開閉自在な構造（例えば、検者側の側壁を上方向に回転移動させる構造）とすることで対応可能になる。
【００２２】
【発明の効果】
以上説明したように、本発明によれば、既存の省スペース型の視標呈示ユニットをそのまま用いて、検眼装置全体の省スペース化をより向上させることができる。また、検者は不自然な体勢をとることなく、呈示視標を確認ができ、使い勝手の良い検眼装置を実現できる。
【図面の簡単な説明】
【図１】図１は本発明に係る検眼装置全体の外観斜視図である。
【図２】検眼装置を上から見た図である。
【図３】視標呈示ユニットの筐体内に配置される光学系を説明する図である。
【図４】視標呈示ユニットの筐体内に配置される光学系を説明する図である。
【図５】検眼装置を被検者の正面方向から見た図である。
【図６】ミラーボックスに近用視標呈示機構を設けた構成例を説明する図である。
【図７】従来の検眼装置の構成例を示す図である。
【符号の説明】
１  検眼装置
２  検眼テーブル
１０  視標呈示ユニット
１１  呈示窓
３０  ミラーボックス
３０ａ  ミラー室
３０ｂ  収納室
３１  第一ミラー
３２  第二ミラー
３６  覗き窓
４０  自覚式屈折力検査ユニット
６１  近用視標
Ｍ１  被検者
Ｍ２  検者
【図１】
2004298315.tif 000003
【図２】
2004298315.tif 000004
【図３】
2004298315.tif 000005
【図４】
2004298315.tif 000006
【図５】
2004298315.tif 000007
【図６】
2004298315.tif 000008
【図７】
2004298315.tif 000009